(57)【要約】【課題】幹線を介して伝送される信号の減衰を抑えることが可能な分岐器、及びそれを備えた集合住宅用インターホンシステムを提供する。【解決手段】分岐器１は、幹線Ｌ２が接続される第１接続部１１と、第２接続部１２と、第３接続部１３と、第１接続部１１と第２接続部１２とを電気的に接続する伝送路Ｌ１と、第１トランス５と、第２トランス６と、増幅回路４と、を備える。第１トランス５は、第１コイル５１が伝送路Ｌ１に接続されて第２コイル５２が第３接続部１３に電気的に接続される。第２トランス６は、第３コイル６３が伝送路Ｌ１に接続されて第４コイル６４が第３接続部１３に電気的に接続される。増幅回路４は、伝送路Ｌ１と第３接続部１３との間に設けられる。増幅回路４は、下り信号Ｓ１（第１信号）を増幅する第１増幅器４１と、上り信号Ｓ２（第２信号）を増幅する第２増幅器４２と、のうち少なくとも一方を含む。【選択図】図２
2018032999.tif 000002
【特許請求の範囲】
【請求項１】
集合住宅用インターホンシステムにおいて幹線を介して伝送される第１信号を前記幹線から分岐させ、かつ前記幹線を介して第２信号を伝送する分岐器であって、
２つの第１接続端子を有し、前記幹線が接続される第１接続部と、
２つの第２接続端子を有する第２接続部と、
２つの第３接続端子を有する第３接続部と、
前記第１接続部と前記第２接続部とを電気的に接続する伝送路と、
第１コイルが前記伝送路に電気的に接続されて第２コイルが前記第３接続部に電気的に接続された第１トランスと、
第３コイルが前記伝送路に電気的に接続されて第４コイルが前記第３接続部に電気的に接続された第２トランスと、
前記伝送路と前記第３接続部との間に設けられた増幅回路と、
を備え、
前記増幅回路は、前記第１トランスの前記第２コイルを介して伝送される前記第１信号を増幅して前記第３接続部に出力する第１増幅器と、前記第３接続部を介して伝送される前記第２信号を増幅して前記第２トランスの前記第４コイルに出力する第２増幅器と、のうち少なくとも一方を含むように構成された
ことを特徴とする分岐器。
【請求項２】
前記第１トランスにおける前記第１コイルに対する前記第２コイルの巻数比と、前記第２トランスにおける前記第３コイルに対する前記第４コイルの巻数比とは、互いに異なる
ことを特徴とする請求項１に記載の分岐器。
【請求項３】
前記第１トランスの前記第１コイル及び前記第２トランスの前記第３コイルのうち少なくとも一方は、インピーダンス素子を介して前記伝送路と電気的に接続された
ことを特徴とする請求項１又は２に記載の分岐器。
【請求項４】
前記第１信号の周波数帯域は、第１周波数帯域であり、
前記第２信号の周波数帯域は、前記第１周波数帯域とは重ならない第２周波数帯域であり、
前記第１周波数帯域の信号を通過させて前記第１増幅器に出力する第１フィルタ回路、及び、前記第２周波数帯域の信号を通過させて前記第２増幅器に出力する第２フィルタ回路、のうち少なくとも一方を更に備えた
ことを特徴とする請求項１〜３の何れか１項に記載の分岐器。
【請求項５】
前記増幅回路は、前記第１増幅器と、前記第２増幅器との両方を含む
ことを特徴とする請求項１〜４の何れか１項に記載の分岐器。
【請求項６】
請求項１〜５の何れか１項に記載の分岐器を複数備え、
前記複数の分岐器の前記第３接続部にそれぞれ電気的に接続される複数の住戸端末と、
前記複数の分岐器の前記第１接続部に電気的に接続されて前記複数の住戸端末と通信する制御装置と、
を更に備えた
ことを特徴とする集合住宅用インターホンシステム。
【発明の詳細な説明】
【技術分野】
【０００１】
本発明は、一般に、分岐器、及びそれを備えた集合住宅用インターホンシステムに関し、より詳細には、１つの接続部に入力された信号を分岐させる分岐器、及びそれを備えた集合住宅用インターホンシステムに関する。
【背景技術】
【０００２】
従来、共用部装置と、モニタと、複数台の住戸機と、複数台の分岐器と、を備えた集合住宅用テレビ付きインターホンシステムが知られている（例えば特許文献１参照）。特許文献１に記載の複数台の住戸機は、伝送線路を介して共用部装置と通信する。共用部装置は、集合住宅の共用玄関に配置されて音声の入出力が可能な共用部通話装置、及び来訪者を撮像するカメラを備える。複数台の分岐器は、共用部装置に接続された幹線と、各住戸機に接続された各住戸別線との接続部位に、それぞれ接続されている。複数台の分岐器は、映像信号の周波数に対するインピーダンスが音声信号の周波数に対するインピーダンスよりも高くなるインピーダンス素子を備えている。
【先行技術文献】
【特許文献】
【０００３】
【特許文献１】特開２００６−９４３９６号公報
【発明の概要】
【発明が解決しようとする課題】
【０００４】
特許文献１に記載の集合住宅用インターホンシステムにおいて、複数台の分岐器は、インピーダンス素子を備えているため、幹線に接続される分岐器の数が多くなるにつれて、幹線を介して伝送される信号の減衰量が多くなる場合がある。
【０００５】
本発明は上記課題に鑑みてなされ、幹線を介して伝送される信号の減衰を抑えることが可能な分岐器、及びそれを備えた集合住宅用インターホンシステムを提供することを目的とする。
【課題を解決するための手段】
【０００６】
本発明の一態様に係る分岐器は、集合住宅用インターホンシステムにおいて幹線を介して伝送される第１信号を前記幹線から分岐させ、かつ前記幹線を介して第２信号を伝送する分岐器である。前記分岐器は、第１接続部と、第２接続部と、第３接続部と、伝送路と、第１トランスと、第２トランスと、増幅回路と、を備える。前記第１接続部は、２つの第１接続端子を有し、前記幹線が接続される。前記第２接続部は、２つの第２接続端子を有する。前記第３接続部は、２つの第３接続端子を有する。前記伝送路は、前記第１接続部と前記第２接続部とを電気的に接続する。前記第１トランスは、第１コイルが前記伝送路に電気的に接続されて第２コイルが前記第３接続部に電気的に接続される。前記第２トランスは、第３コイルが前記伝送路に電気的に接続されて第４コイルが前記第３接続部に電気的に接続される。前記増幅回路は、前記伝送路と前記第３接続部との間に設けられる。前記増幅回路は、第１増幅器と、第２増幅器と、のうち少なくとも一方を含むように構成される。前記第１増幅器は、前記第１トランスの前記第２コイルを介して伝送される前記第１信号を増幅して前記第３接続部に出力する。前記第２増幅器は、前記第３接続部を介して伝送される前記第２信号を増幅して前記第２トランスの前記第４コイルに出力する。
【０００７】
本発明の一態様に係る集合住宅用インターホンシステムは、上記した分岐器を複数備える。前記集合住宅用インターホンシステムは、前記複数の分岐器の前記第３接続部にそれぞれ電気的に接続される複数の住戸端末と、前記複数の分岐器の前記第１接続部に電気的に接続されて前記複数の住戸端末と通信する制御装置と、を更に備える。
【発明の効果】
【０００８】
本発明の分岐器は、幹線を介して伝送される信号の減衰を抑えることができる。
【０００９】
本発明の集合住宅用インターホンシステムは、上記した分岐器を複数備えているので、幹線を介して伝送される信号の減衰を抑えることができる。
【図面の簡単な説明】
【００１０】
【図１】図１は、本発明の実施形態１に係る分岐器を備えた集合住宅用インターホンシステムのシステム構成図である。
【図２】図２は、同上の分岐器のブロック図である。
【図３】図３は、本発明の実施形態１の変形例１に係る分岐器のブロック図である。
【図４】図４は、本発明の実施形態１の変形例２に係る分岐器のブロック図である。
【図５】図５は、本発明の実施形態２に係る分岐器のブロック図である。
【発明を実施するための形態】
【００１１】
（実施形態１）
本実施形態に係る集合住宅用インターホンシステム１００は、集合住宅で使用される。集合住宅用インターホンシステム１００は、図１に示すように、複数（図１では３つのみ図示）の分岐器１と、複数（図１では３つのみ図示）の住戸端末２００と、制御装置３００と、共用端末３０２と、を備えている。複数の住戸端末２００はそれぞれ、複数の住戸内に設置されている。制御装置３００は、例えば、集合住宅の管理室に設置されている。共用端末３０２は、例えば、集合住宅の共用玄関（ロビー）に設置されたロビーインターホンである。
【００１２】
複数の住戸端末２００の各々は、分岐線Ｌ３を介して分岐器１に接続されている。以下では、説明の便宜上、分岐器１の数と、分岐線Ｌ３の数と、幹線Ｌ２の数とはそれぞれ、３つずつであるとする。ここで、３つの分岐器１の各々を区別する場合には、分岐器１Ａ，１Ｂ，１Ｃとして説明する。また、３つの幹線Ｌ２を区別する場合には、幹線Ｌ２Ａ，Ｌ２Ｂ，Ｌ２Ｃとして説明する。
【００１３】
分岐器１Ａは、幹線Ｌ２Ａを介して制御装置３００に接続されている。分岐器１Ｂは、幹線Ｌ２Ａと幹線Ｌ２Ｂとを介して制御装置３００に接続されている。分岐器１Ｃは、幹線Ｌ２Ａと幹線Ｌ２Ｂと幹線Ｌ２Ｃとを介して制御装置３００に接続されている。要するに、３つの分岐器１は、幹線Ｌ２を介して制御装置３００に接続されている。なお、分岐器１Ｃには終端抵抗３０１が接続されている。
【００１４】
共用端末３０２は、接続線Ｌ４を介して制御装置３００に接続されている。幹線Ｌ２Ａ〜Ｌ２Ｃと、３つの分岐線Ｌ３と、接続線Ｌ４との各々は、例えば、ツイストペア線である。
【００１５】
複数の住戸端末２００の各々は、分岐線Ｌ３と幹線Ｌ２とを介して、制御装置３００と通信を行う。住戸端末２００と制御装置３００との通信については、制御装置３００が複数の住戸端末２００の各々に送信する信号（第１信号）を「下り信号Ｓ１」と呼び、複数の住戸端末２００の各々が制御装置３００に送信する信号（第２信号）を「上り信号Ｓ２」と呼ぶ。
【００１６】
３つの住戸端末２００の各々と制御装置３００とは、幹線Ｌ２を介して伝送される上り信号Ｓ２と下り信号Ｓ１とによって互いに通信する。上り信号Ｓ２は、例えば、電圧の振幅で表される信号であり、住戸端末２００によって直交周波数分割多重方式（ＯＦＤＭ：Orthogonal Frequency Division Multiplexing）で変調されている。下り信号Ｓ１は、例えば、電圧の振幅で表される信号であり、制御装置３００によって直交周波数分割多重方式で変調されている。下り信号Ｓ１の周波数帯域（第１周波数帯域）と、上り信号Ｓ２の周波数帯域（第２周波数帯域）とは、互いに重ならないように周波数帯域が振り分けられている。したがって、制御装置３００が下り信号Ｓ１を幹線Ｌ２を介して伝送し、かつ３つの住戸端末２００の各々が上り信号Ｓ２を幹線Ｌ２を介して伝送することにより、３つの住戸端末２００の各々と制御装置３００とが双方向通信を行うことができる。
【００１７】
ここでいう「周波数帯域」は、下り信号Ｓ１（又は上り信号Ｓ２）の周波数スペクトルの範囲を意味し、搬送波による下り信号Ｓ１（又は上り信号Ｓ２）の変調後の周波数の範囲に相当する。「周波数帯域」は、例えば下限の周波数と上限の周波数との組み合わせ、又は中心周波数と帯域幅との組み合わせで表される。
【００１８】
集合住宅用インターホンシステム１００では、下り信号Ｓ１の第１周波数帯域は、上り信号Ｓ２の第２周波数帯域よりも中心周波数の高い周波数帯域である。また、下り信号Ｓ１の伝送速度は上り信号Ｓ２の伝送速度よりも速くなるように予め設定されており、下り信号Ｓ１に、音声信号よりも比較的データ量の多い映像信号が含まれていても、特定の住戸端末２００と共用端末３０２とが通信可能となっている。
【００１９】
３つの分岐器１の各々は、制御装置３００が幹線Ｌ２を介して伝送した下り信号Ｓ１を幹線Ｌ２から分岐させて、分岐線Ｌ３を介して住戸端末２００に下り信号Ｓ１を伝送する第１機能を有する。また、３つの分岐器１の各々は、住戸端末２００が分岐線Ｌ３を介して伝送した上り信号Ｓ２を、幹線Ｌ２を介して伝送する第２機能を有する。
【００２０】
共用端末３０２は、処理部と、マイクロホンと、スピーカと、カメラを有する撮像部と、操作部とを備えている。共用端末３０２の処理部は、例えば、ＣＰＵ（Central Processing Unit）及びメモリなどのハードウェアと、ＣＰＵで実行されるソフトウェア（プログラム）とを含む。処理部は、３つの住戸端末２００のうち共用端末３０２の操作部で指定された特定の住戸端末２００と、幹線Ｌ２及び分岐線Ｌ３を介して通信を行う機能を有する。
【００２１】
共用端末３０２の操作部は、例えば来訪者の操作を受け付ける。操作部は、一例として、テンキーなどのような複数の押ボタンを備えている。操作部は、特定の住戸端末２００を指定する番号（例えば住戸番号）をテンキーから入力されたときに、特定の住戸端末２００が設置されている住戸内の居住者を呼び出すための呼出情報を処理部へ出力するように構成されている。呼出情報は、例えば、住戸端末２００ごとの固有アドレスなどを含んでいる。処理部は、マイクロホンが出力した来訪者の音声信号、撮像部が撮影した来訪者の映像信号、及び操作部からの呼出情報を含む呼出信号を変調する。変調方式は、例えば直交周波数分割多重方式である。処理部は、呼出信号を接続線Ｌ４に送出するように構成されている。呼出信号は、幹線Ｌ２を介して特定の住戸端末２００に伝送される。
【００２２】
共用端末３０２の処理部は更に、制御装置３００が接続線Ｌ４に送出した信号を受信するように構成されている。制御装置３００が接続線Ｌ４に送出する信号は、例えば、特定の住戸端末２００が送信した上り信号Ｓ２である。処理部は、受信した上り信号Ｓ２を復調して音声信号を復元することにより、スピーカから音声を再生させるように構成されている。
【００２３】
住戸端末２００は、呼出信号に含まれる映像信号及び音声信号を復調する。また、特定の住戸端末２００は、例えば、住戸内の住人の音声をマイクロホンなどで音声信号に変換し、当該音声信号と、呼出信号に応答する応答信号と、を変調した上り信号Ｓ２を分岐線Ｌ３に送出する。
【００２４】
制御装置３００は、接続線Ｌ４を介して、共用端末３０２に接続されている。制御装置３００は、共用端末３０２と通信を行うように構成されている。また、制御装置３００は、幹線Ｌ２を介して、３つの分岐器１の各々に電気的に接続されている。制御装置３００は、接続線Ｌ４を介して伝送された下り信号Ｓ１を受信して、幹線Ｌ２に下り信号Ｓ１を送出する。また、制御装置３００は、分岐器１及び幹線Ｌ２を介して伝送された上り信号Ｓ２を受信して、上り信号Ｓ２を接続線Ｌ４に送出する。つまり、制御装置３００は、共用端末３０２から呼び出された特定の住戸端末２００と共用端末３０２との通信を中継する。
【００２５】
３つの分岐器１の各々は、幹線Ｌ２に送出された下り信号Ｓ１を分岐させて、分岐線Ｌ３に接続された住戸端末２００に下り信号Ｓ１を伝送する。また、分岐器１は、分岐線Ｌ３に送出された上り信号Ｓ２を、幹線Ｌ２を介して伝送する。
【００２６】
以下、分岐器１について図２を参照して説明する。なお、図２では、分岐器１Ａのみを図示しているが、分岐器１Ｂ，１Ｃについても分岐器１Ａと同様の構成であるため、分岐器１Ａ〜１Ｃを区別しない場合には単に「分岐器１」として説明する。
【００２７】
分岐器１は、第１接続部１１と、第２接続部１２と、第３接続部１３と、伝送路Ｌ１と、第１トランス５と、第２トランス６と、増幅回路４と、を備える。増幅回路４は、第１増幅器４１と、第２増幅器４２と、を含む。
【００２８】
第１接続部１１は、２つの第１接続端子１１０を有する。２つの第１接続端子１１０にはそれぞれ、幹線Ｌ２Ａのツイストペア線が１本ずつ接続されている。第２接続部１２は、２つの第２接続端子１２０を有する。２つの第２接続端子１２０にはそれぞれ、幹線Ｌ２Ｂのツイストペア線が１本ずつ接続されている。伝送路Ｌ１は、第１接続部１１と第２接続部１２とを電気的に接続する。より詳細には、伝送路Ｌ１は、２つの導電部材からなり、２つの導電部材のうちの一方は、２つの第１接続端子１１０のうちの一方と、２つの第２接続端子１２０のうちの一方とを接続している。言い換えると、第１接続部１１に接続された幹線Ｌ２Ａと、第２接続部１２に接続された幹線Ｌ２Ｂとは、電気的に接続されている。
【００２９】
第３接続部１３は、２つの第３接続端子１３０を有する。２つの第３接続端子１３０にはそれぞれ、分岐線Ｌ３のツイストペア線が１本ずつ接続されている。つまり第３接続部１３には分岐線Ｌ３が接続されている。
【００３０】
第１トランス５は、第１コイル５１と第２コイル５２とを有する。第１トランス５は、例えば磁性材料からなる鉄心を有しているが、これに限らず空心でもよい。第１コイル５１は、伝送路Ｌ１の２つの導電部材間に電気的に接続されている。第２コイル５２は、第１増幅器４１の一対の入力端間に接続されている。第１トランス５における第１コイル５１の巻線数に対する第２コイル５２の巻線数の比（巻数比）は、例えば１：５となっている。
【００３１】
第１増幅器４１は、例えばオペアンプなどで構成されている。第１増幅器４１は、一対の入力端に入力された電圧を増幅して一対の出力端から出力する。第１増幅器４１の一対の入力端にはそれぞれ、第２コイル５２の両端が接続されている。第１増幅器４１の一対の出力端は、２つの第３接続端子１３０に接続されている。言い換えると、第１増幅器４１の一対の出力端は、第３接続部１３に接続されている。
【００３２】
第１トランス５は、幹線Ｌ２を介して伝送された下り信号Ｓ１を第１コイル５１から第２コイル５２に伝送する。第１トランス５は、下り信号Ｓ１の第１周波数帯域において、幹線Ｌ２のインピーダンスと分岐線Ｌ３のインピーダンスとを整合させることができる。
【００３３】
第２トランス６は、第３コイル６３と第４コイル６４とを有する。第２トランス６は、例えば磁性材料からなる鉄心を有しているが、これに限らず空心でもよい。第３コイル６３は、伝送路Ｌ１の２つの導電部材間に電気的に接続されている。第４コイル６４は、第２増幅器４２の一対の出力端間に接続されている。第２トランス６における第３コイル６３の巻線数に対する第４コイル６４の巻線数の比（巻数比）は、例えば１：０．１となっている。
【００３４】
第２増幅器４２は、例えばオペアンプなどで構成されている。第２増幅器４２は、一対の入力端に入力された電圧を増幅して一対の出力端から出力する。第２増幅器４２の一対の入力端はそれぞれ、２つの第３接続端子１３０に接続されている。言い換えると、第２増幅器４２の一対の入力端は、第３接続部１３に接続されている。第２増幅器４２の一対の出力端はそれぞれ、第４コイル６４の両端に接続されている。第２増幅器４２は、２つの第３接続端子１３０間の電圧を増幅して、第４コイル６４に出力する。
【００３５】
第２トランス６は、分岐線Ｌ３を介して伝送された上り信号Ｓ２を第４コイル６４から第３コイル６３に伝送する。第２トランス６は、上り信号Ｓ２の第２周波数帯域において、幹線Ｌ２のインピーダンスと分岐線Ｌ３のインピーダンスとを整合させることができる。
【００３６】
第１増幅器４１及び第２増幅器４２は、一対の入力端間に入力された電圧を増幅するが、一対の出力端側の電圧が増減しても、一対の入力端間の電圧にほとんど影響を与えない。したがって、第１増幅器４１が接続された第１トランス５において、第１コイル５１は、第１トランス５の一次コイルとして機能し、第２コイル５２は第１トランス５の二次コイルとして機能する。同様に、第２増幅器４２が接続された第２トランス６において、第４コイル６４は、第２トランス６の一次コイルとして機能し、第３コイル６３は第２トランス６の二次コイルとして機能する。
【００３７】
分岐器１は、第１トランス５と第２トランス６とを備えているので、幹線Ｌ２が電気的に接続される第１接続部１１及び第２接続部１２と、第３接続部１３とを電気的に絶縁する。また、分岐器１は、第１トランス５と第２トランス６とを備えているので、下り信号Ｓ１の第１周波数帯域と、上り信号Ｓ２の第２周波数帯域とのそれぞれの周波数帯域で、幹線Ｌ２と分岐線Ｌ３とのインピーダンスを整合させることができる。これにより、幹線Ｌ２に分岐器１が複数接続されていても、幹線Ｌ２を介して伝送される上り信号Ｓ２と下り信号Ｓ１との各々の減衰が抑えられやすくなる。
【００３８】
また、幹線Ｌ２から見て第１トランス５のインピーダンスと第２トランス６とのインピーダンスとが高いほど、幹線Ｌ２に送出される上り信号Ｓ２と下り信号Ｓ１との減衰が抑えられやすくなる。そのため、幹線Ｌ２から見て第１トランス５のインピーダンスと第２トランス６のインピーダンスとが高いほど好ましい。
【００３９】
図２では、分岐器１Ａについて説明したが、分岐器１Ｂ，１Ｃの構成及び機能についても分岐器１Ａと同様である。分岐器１Ｂについては、上記の説明において「幹線Ｌ２Ａ」を「幹線Ｌ２Ｂ」と読み替え、「幹線Ｌ２Ｂ」を「幹線Ｌ２Ｃ」と読み替えればよい。また、分岐器１Ｃについては、上記の説明において「幹線Ｌ２Ａ」を「幹線Ｌ２Ｃ」と読み替え、「幹線Ｌ２Ｂのツイストペア線」を「終端抵抗３０１の両端」と読み替え、「幹線Ｌ２Ｂ」を「終端抵抗３０１」と読み替えればよい。
【００４０】
以上説明したように、本実施形態に係る分岐器１は、集合住宅用インターホンシステム１００において幹線Ｌ２を介して伝送される下り信号Ｓ１（第１信号）を幹線Ｌ２から分岐させ、かつ幹線Ｌ２を介して上り信号Ｓ２（第２信号）を伝送する分岐器である。分岐器１は、第１接続部１１と、第２接続部１２と、第３接続部１３と、伝送路Ｌ１と、第１トランス５と、第２トランス６と、増幅回路４と、を備える。第１接続部１１は、２つの第１接続端子１１０を有し、幹線Ｌ２が接続される。第２接続部１２は、２つの第２接続端子１２０を有する。第３接続部１３は、２つの第３接続端子１３０を有する。伝送路Ｌ１は、第１接続部１１と第２接続部１２とを電気的に接続する。第１トランス５は、第１コイル５１が伝送路Ｌ１に電気的に接続されて第２コイル５２が第３接続部１３に電気的に接続される。第２トランス６は、第３コイル６３が伝送路Ｌ１に電気的に接続されて第４コイル６４が第３接続部１３に電気的に接続される。増幅回路４は、伝送路Ｌ１と第３接続部１３との間に設けられる。増幅回路４は、第１増幅器４１と、第２増幅器４２と、を含むように構成される。第１増幅器４１は、第１トランス５の第２コイル５２を介して伝送される下り信号Ｓ１（第１信号）を増幅して第３接続部１３に出力する。第２増幅器４２は、第３接続部１３を介して伝送される上り信号Ｓ２（第２信号）を増幅して第２トランス６の第４コイル６４に出力する。
【００４１】
上記構成によれば、第１トランス５と第２トランス６とは、幹線Ｌ２が電気的に接続される第１接続部１１及び第２接続部１２と、第３接続部１３とを電気的に絶縁することができる。また、幹線Ｌ２が接続される伝送路Ｌ１に、第１トランス５と第２トランス６とが個別に接続されるので、第１トランス５と第２トランス６とが互いに異なるインピーダンスであってもよい。第１トランス５は、下り信号Ｓ１（第１信号）を伝送する際の第１トランス５の第１コイル５１側のインピーダンスと、第１トランス５の第２コイル５２側のインピーダンスとを整合させることができる。これにより、第１トランス５は、伝送路Ｌ１から第１トランス５を介して第３接続部１３に送出される下り信号Ｓ１（第１信号）の減衰を抑えることができる。第２トランス６は、上り信号Ｓ２（第２信号）を伝送する際の第２トランス６の第３コイル６３側のインピーダンスと、第２トランス６の第４コイル６４側のインピーダンスとを整合させることができる。これにより、第２トランス６は、第３接続部１３から第２トランス６を介して伝送路Ｌ１に送出される上り信号Ｓ２（第２信号）の減衰を抑えることができる。また、第１増幅器４１が下り信号Ｓ１（第１信号）を増幅することによって、第１トランス５を介して第３接続部１３に送出される下り信号Ｓ１（第１信号）の減衰を抑えることができる。第２増幅器４２が上り信号Ｓ２（第２信号）を増幅することによって、第２トランス６を介して伝送路Ｌ１に送出される上り信号Ｓ２（第２信号）の減衰を抑えることができる。言い換えると、分岐器１は、幹線Ｌ２を介して伝送される第１信号及び第２信号（下り信号Ｓ１及び上り信号Ｓ２）の減衰を抑えることができる。
【００４２】
分岐器１において、増幅回路４は、第１増幅器４１と、第２増幅器４２との両方を含んでいる。これにより、分岐器１は、第１トランス５が伝送する下り信号Ｓ１（第１信号）と、第２トランス６が伝送する上り信号Ｓ２（第２信号）との各々の振幅を増幅することができる。つまり、第１増幅器４１及び第２増幅器４２は、第１トランス５及び第２トランス６が設けられたことによる下り信号Ｓ１（第１信号）及び上り信号Ｓ２（第２信号）の減衰を補うことができる。なお、また、第１増幅器４１及び第２増幅器４２の各々は、例えば、増幅度が１のバッファ回路などでもよい。
【００４３】
分岐器１において、第１トランス５における第１コイル５１に対する第２コイル５２の巻数比と、第２トランス６における第３コイル６３に対する第４コイル６４の巻数比とは、互いに異なることが好ましい。これにより、第１トランス５を下り信号Ｓ１（第１信号）に適したインピーダンスに設定することができ、かつ第２トランス６を上り信号Ｓ２（第２信号）に適したインピーダンスに設定することができる。なお、本実施形態の第１トランス５の巻数比及び第２トランス６の巻数比はそれぞれ、一例として１：５、及び１：０．１であるが、この巻数比に限定されない。
【００４４】
本実施形態に係る集合住宅用インターホンシステム１００は、上記した分岐器１を複数備える。集合住宅用インターホンシステム１００は、複数の分岐器１の第３接続部１３にそれぞれ電気的に接続される複数の住戸端末２００と、複数の分岐器１の第１接続部１１に電気的に接続されて複数の住戸端末２００と通信する制御装置３００とを更に備える。上記構成によれば、集合住宅用インターホンシステム１００は、上記した分岐器１を複数備えているので、幹線Ｌ２を介して伝送される第１信号及び第２信号（下り信号Ｓ１及び上り信号Ｓ２）の減衰を抑えることができる。
【００４５】
本実施形態の分岐器１は、第１増幅器４１と第２増幅器４２とを両方備えているが、この構成に限定されない。増幅回路４は、第１増幅器４１と、第２増幅器４２と、のうち少なくとも一方を含むように構成されていればよい。例えば、複数の住戸端末２００の各々が、第２増幅器４２に相当する増幅器を有している場合、分岐器１の第２増幅器４２は省略可能である。同様に、３つの住戸端末２００の各々が、第１増幅器４１に相当する増幅器を有している場合、分岐器１の第１増幅器４１は省略可能である。
【００４６】
ところで、分岐器１及び住戸端末２００の各々の数は３つに限定されず、２つでもよいし４つ以上でもよい。本実施形態に係る集合住宅用インターホンシステム１００では、上り信号Ｓ２及び下り信号Ｓ１の各々が電圧の振幅によって表される電圧信号である場合の例を説明したが、電圧信号に限らず、電流の振幅によって表される電流信号であってもよい。上り信号Ｓ２及び下り信号Ｓ１の変調方式は、直交周波数分割多重方式の他にも、例えば直接拡散方式（ＤＳＳＳ：Direct Sequence Spread Spectrum）などの変調方式でもよい。
【００４７】
（実施形態１の変形例１）
実施形態１に係る分岐器１Ａの変形例１について図３を参照して説明する。変形例１の分岐器１ａは、２つのインピーダンス素子７１，７２を更に備えている点が分岐器１Ａと相違する。２つのインピーダンス素子７１，７２は、例えば、抵抗器などのように電気抵抗を有する素子からなる。２つのインピーダンス素子７１，７２の抵抗値は、本実施形態では同一であるが、これに限らず、互いに異ならせてもよい。分岐器１ａにおける他の構成は、実施形態１に係る分岐器１Ａの構成と同様であるため同一の符号を付して説明を省略する。
【００４８】
分岐器１ａでは、伝送路Ｌ１と第１トランス５と第１増幅器４１と第２増幅器４２と第２トランス６とでループ状の電路が形成されている。当該ループ状の電路において、例えば、第２増幅器４２の出力信号が第１増幅器４１に入力されると、第１増幅器４１と第２増幅器４２とが互いの出力信号を繰り返し増幅する可能性がある。２つのインピーダンス素子７１，７２は、第１増幅器４１と第２増幅器４２とが信号を繰り返し増幅することを抑制する。
【００４９】
インピーダンス素子７１の両端はそれぞれ、分岐器１ａにおける第１トランス５の第１コイル５１と伝送路Ｌ１とに接続されている。したがって、第１トランス５の第１コイル５１は、インピーダンス素子７１を介して伝送路Ｌ１に電気的に接続されている。インピーダンス素子７２の両端はそれぞれ、分岐器１ａにおける第２トランス６の第３コイル６３と伝送路Ｌ１とに接続されている。したがって、第２トランス６の第３コイル６３は、インピーダンス素子７２を介して伝送路Ｌ１と電気的に接続されている。
【００５０】
伝送路Ｌ１と第１トランス５の第１コイル５１との間にインピーダンス素子７１が接続されることにより、伝送路Ｌ１から第１コイル５１に入力される電圧信号の振幅は、インピーダンス素子７１がない場合と比べて小さくなる。また、伝送路Ｌ１と第２トランス６の第３コイル６３との間にインピーダンス素子７２が接続されることにより、第３コイル６３から伝送路Ｌ１に入力される電圧信号の振幅は、インピーダンス素子７２がない場合と比べて小さくなる。
【００５１】
２つのインピーダンス素子７１，７２は、第２増幅器４２の出力信号が第１増幅器４１に入力される際に、第１増幅器４１に入力される信号を減衰させる。これにより、２つのインピーダンス素子７１，７２は、第１増幅器４１と第２増幅器４２とが当該ループ状の電路を介して信号を繰り返し増幅することを抑制する。
【００５２】
以上説明したように、分岐器１ａにおいて、第１トランス５の第１コイル５１及び第２トランス６の第３コイル６３は、インピーダンス素子（インピーダンス素子７１及びインピーダンス素子７２）を介して伝送路Ｌ１と電気的に接続されている。この構成により、インピーダンス素子７１，７２は、伝送路Ｌ１と第１トランス５と第１増幅器４１と第２増幅器４２と第２トランス６とで形成されるループ状の電路においてインピーダンスを高めて、電圧信号を減衰させやすくする。そのため、インピーダンス素子７１，７２は、第１増幅器４１と第２増幅器４２とが信号を繰り返し増幅することを抑制する。
【００５３】
ところで、２つのインピーダンス素子７１，７２は、抵抗器の他にも、例えば、インダクタ及びキャパシタなどで構成されていてもよい。要するに、２つのインピーダンス素子７１，７２は、インピーダンス成分を有するように構成されていればよい。また、２つのインピーダンス素子７１，７２は必須の構成ではなく、２つのインピーダンス素子７１，７２のうち少なくとも一方を備えていればよい。つまり、分岐器１ａにおいて、第１トランス５の第１コイル５１及び第２トランス６の第３コイル６３のうち少なくとも一方は、インピーダンス素子（インピーダンス素子７１及びインピーダンス素子７２）を介して伝送路Ｌ１と電気的に接続されていればよい。
【００５４】
また、分岐器１ａにおいて、第１増幅器４１と第２増幅器４２との両方が必須の構成ではなく、分岐器１ａは、第１増幅器４１及び第２増幅器４２のうち少なくとも一方を備えていればよい。
【００５５】
（実施形態１の変形例２）
実施形態１に係る分岐器１Ａの変形例２について図４を参照して説明する。変形例２の分岐器１ｂは、実施形態１に係る変形例１の分岐器１ａの構成に更に、第１フィルタ回路８１及び第２フィルタ回路８２を備えている。第１フィルタ回路８１及び第２フィルタ回路８２は、例えば、バンドパスフィルタ回路である。分岐器１ｂにおける他の構成は、実施形態１の変形例１に係る分岐器１ａの構成と同様であるため同一の符号を付して説明を省略する。
【００５６】
第１フィルタ回路８１は、第１周波数帯域の信号を通過させ、第１周波数帯域を除く周波数帯域の信号を減衰させて、第１増幅器４１に出力する。第１周波数帯域とは、下り信号Ｓ１の周波数帯域である。
【００５７】
第２フィルタ回路８２は、第２周波数帯域の信号を通過させ、第２周波数帯域を除く周波数帯域の信号を減衰させて、第２増幅器４２に出力する。第２周波数帯域とは、上り信号Ｓ２の周波数帯域であり、第１周波数帯域とは重ならない周波数帯域である。
【００５８】
以上説明したように、分岐器１ｂにおいて、下り信号Ｓ１（第１信号）の周波数帯域は、第１周波数帯域であり、上り信号Ｓ２（第２信号）の周波数帯域は、第１周波数帯域とは重ならない第２周波数帯域である。分岐器１ｂは、第１周波数帯域の信号を通過させて第１増幅器４１に出力する第１フィルタ回路８１、及び、第２周波数帯域の信号を通過させて第２増幅器４２に出力する第２フィルタ回路８２、を備える。
【００５９】
上記構成によれば、第１フィルタ回路８１と第２フィルタ回路８２がそれぞれ異なる周波数帯域の信号を通過させる。第１増幅器４１は、第１フィルタ回路８１が出力する第１周波数帯域の信号を増幅し、第２増幅器４２は、第２フィルタ回路８２が出力する第２周波数帯域の信号を増幅する。第１周波数帯域と第２周波数帯域とは重ならないので、第１フィルタ回路８１と第２フィルタ回路８２とは、第１増幅器４１と第２増幅器４２とが同一の周波数帯域の信号を繰り返し増幅することを抑制する。
【００６０】
ところで、第１フィルタ回路８１と第２フィルタ回路８２とは必須の構成ではなく、分岐器１ｂは、第１フィルタ回路８１と第２フィルタ回路８２とのうち一方のみを備えていてもよい。つまり、分岐器１ｂにおいて、第１周波数帯域の信号を通過させて第１増幅器４１に出力する第１フィルタ回路８１、及び、第２周波数帯域の信号を通過させて第２増幅器４２に出力する第２フィルタ回路８２、のうち少なくとも一方を備えていればよい。また、分岐器１ｂにおいて、第１増幅器４１と第２増幅器４２との両方が必須の構成ではなく、分岐器１ｂは、第１増幅器４１及び第２増幅器４２のうち少なくとも一方を備えていればよい。
【００６１】
（実施形態２）
実施形態２にかかる分岐器１ｃについて図５を参照して説明する。分岐器１ｃは、実施形態１の変形例１に係る分岐器１ａの構成の他に、第３トランス９と、第４接続部１４と、を更に備える。分岐器１ｃは、幹線Ｌ２Ａを幹線Ｌ２Ｂと幹線Ｌ２ａとに分岐させることができ、かつ幹線Ｌ２Ａから分岐線Ｌ３を分岐させることができる。分岐器１ｃは、１つの幹線Ｌ２Ａを２つの幹線Ｌ２Ｂ，Ｌ２ａに増設するための所謂「系統増設アダプタ」として用いることができる。分岐器１ｃにおいて、実施形態１の変形例１に係る分岐器１ａと同様の構成については同一の符号を付して説明を省略する。
【００６２】
分岐器１ｃは、例えば、実施形態１の分岐器１Ａに代えて、幹線Ｌ２Ａと幹線Ｌ２Ｂと住戸端末２００との間に設けられる。分岐器１ｃの第３接続部１３には、分岐線Ｌ３に代えて幹線Ｌ２ａが接続される。
【００６３】
幹線Ｌ２ａには、例えば実施形態１の分岐器１が接続されており、分岐器１を介して住戸端末２００が幹線Ｌ２ａに接続されている。例えば、制御装置３００が幹線Ｌ２Ａ，Ｌ２Ｂに送出した下り信号Ｓ１は、第１トランス５を介して幹線Ｌ２ａに送出される。幹線Ｌ２に接続された住戸端末２００は、幹線Ｌ２に上り信号Ｓ２を送出すると、上り信号Ｓ２は第２トランス６を介して幹線Ｌ２Ａ，Ｌ２Ｂに送出される。
【００６４】
第４接続部１４は、２つの第４接続端子１４０を有している。第４接続部１４には、分岐線Ｌ３の一端が接続される。分岐線Ｌ３の他端には、住戸端末２００が接続される。したがって、第４接続部１４は住戸端末２００に電気的に接続される。
【００６５】
第３トランス９は、第５コイル９５と第６コイル９６とを有する。第３トランス９は、例えば磁性材料からなる鉄心を有しているが、これに限らず空心でもよい。第５コイル９５は、伝送路Ｌ１と電気的に接続されている。より詳細には、第５コイル９５は、伝送路Ｌ１の２つの導電部材間に接続されている。第６コイル９６は、２つの第４接続端子１４０に接続されている。
【００６６】
第３トランス９における第５コイル９５の巻線数に対する第６コイル９６の巻線数の比は、例えばＰ：１となっている。したがって、第３トランス９の巻数比はＰ：１である。Ｐは例えば１より大きい値である。第３トランス９巻数比をＰ：１にすることにより、第６コイル９６のインピーダンスよりも第５コイル９５のインピーダンスを高くすることができる。第５コイル９５の両端は、伝送路Ｌ１に接続されているため、第５コイル９５のインピーダンスが高いほど、伝送路Ｌ１を介して伝送される下り信号Ｓ１及び上り信号Ｓ２が減衰しにくくなる。したがって、第３トランス９は、幹線Ｌ２から分岐線Ｌ３を分岐させるために伝送路Ｌ１に第３トランス９を設けた際の、伝送路Ｌ１を介して伝送される下り信号Ｓ１及び上り信号Ｓ２の減衰を抑えることができる。また、第３トランス９の巻数比をＰ：１（ただしＰ＞１）とすることにより、第３トランス９は、第６コイル９６に入力された上り信号Ｓ２を増幅して第５コイル９５から出力することができる。
【００６７】
上記構成によれば、分岐器１ｃは、第１接続部１１に接続される幹線Ｌ２を、第３接続部１３と第４接続部１４とにそれぞれ分岐させることができる。分岐器１ｃは、例えば、第１接続部１１に接続される幹線Ｌ２を、第３接続部１３に接続された幹線Ｌ２と、第４接続部１４に接続された分岐線Ｌ３とに分岐させることができる。
【００６８】
ところで、第４接続部１４は、第３トランス９を介して伝送路Ｌ１に接続されることに限定されず、例えば、実施形態１の分岐器１のように、第１トランス５と第２トランス６と増幅回路４とを介して伝送路Ｌ１に接続されてもよい。
【符号の説明】
【００６９】
１，１Ａ〜１Ｃ，１ａ〜１ｃ  分岐器
１００  集合住宅用インターホンシステム
１１  第１接続部
１１０  第１接続端子
１２  第２接続部
１２０  第２接続端子
１３  第３接続部
１３０  第３接続端子
２００  住戸端末
３００  制御装置
４  増幅回路
４１  第１増幅器
４２  第２増幅器
５  第１トランス
５１  第１コイル
５２  第２コイル
６  第２トランス
６３  第３コイル
６４  第４コイル
７１，７２  インピーダンス素子
８１  第１フィルタ回路
８２  第２フィルタ回路
Ｌ１  伝送路
Ｌ２，Ｌ２Ａ〜Ｌ２Ｃ，Ｌ２ａ  幹線
Ｓ１  下り信号（第１信号）
Ｓ２  上り信号（第２信号）
【図１】
2018032999.tif 000003
【図２】
2018032999.tif 000004
【図３】
2018032999.tif 000005
【図４】
2018032999.tif 000006
【図５】
2018032999.tif 000007